(57)【要約】【課題】汎用性の向上及びコストダウンを図った指針用導光板を提供する。【解決手段】反射面４ｃは、受光部４ｂの背面側端部４ｂ１から入射して、導光板本体４ａに到達した光を、導光板本体４ａの所定位置に向かって反射する。この反射面４ｃは、背面−正面方向の位置によって、導光板本体４ａとの成す角度が各々異なるように形成されている。また、受光部４ｂは、背面に向かうに従って、その断面積が大きくなるように形成されている。【選択図】      図１
2004361319.tif 000002
【特許請求の範囲】
【請求項１】
指針の背面に設けられた導光板本体と、該導光板本体から背面側に向かう凸状の受光部と、該受光部の背面側端部から入射して、前記導光板本体に到達した光を、前記導光板本体の所定位置に向かって反射する第１反射面と、前記導光板本体の所定位置に設けられ、前記第１反射面で反射された光を正面側に反射する第２反射面とを備えた指針用導光板であって、
前記第１反射面は、背面−正面方向の位置によって、前記導光板本体との成す角度が各々異なるように形成されている
ことを特徴とする指針用導光板。
【請求項２】
指針の背面に設けられた導光板本体と、該導光板本体から背面側に向かう凸状の受光部と、該受光部の背面側端部から入射して、前記導光板本体に到達した光を、前記導光板本体の所定位置に向かって反射する第１反射面と、前記導光板本体の所定位置に設けられ、前記第１反射面で反射された光を正面側に反射する第２反射面とを備えた指針用導光板であって、
前記受光部は、背面に向かうに従って、当該断面積が大きくなるように形成されている
ことを特徴とする指針用導光板。
【請求項３】
請求項２記載の指針用導光板であって、
前記受光部の背面側端面は、正面側を中心とした断面略円弧状に形成されている
ことを特徴とする指針用導光板。
【請求項４】
指針の背面に設けられた導光板本体と、該導光板本体から背面側に向かう凸状の受光部と、該受光部の背面側端部から入射して、前記導光板本体に到達した光を、前記導光板本体の所定位置に向かって反射する第１反射面と、前記導光板本体の所定位置に設けられ、前記第１反射面で反射された光を正面側に反射する第２反射面とを備えた指針用導光板であって、
前記導光板本体には、前記所定位置を中心とした略円弧状の長孔が設けられている
ことを特徴とする指針用導光板。
【発明の詳細な説明】
【０００１】
【発明の属する技術分野】
この発明は、指針用導光板に係わり、特に、発光素子からの光を指針に導光する指針用導光板に関する。
【０００２】
【従来の技術】
上述した従来の指針用導光板を用いた指示装置として、例えば、図５に示されたようなものが知られている。同図に示すように、指示装置は、計測値を指示する指針１０と、計測値に応じて指針１０を駆動するムーブメント１１と、回路パターンが設けられ、ムーブメント１１が配線される基板１２とを備えている。
【０００３】
また、１３は、基板１２に設けた光源１４からの光ＬＬを指針１０に導く指針用導光板である。この指針用導光板１３は、指針１０の背面に設けられた導光板本体１３ａと、導光板本体１３ａから背面側に向かう凸状の受光部１３ｂとから構成されている。
【０００４】
上記指針用導光板１３には、反射面１３ｃ及び１３ｄが設けられている。反射面１３ｃは、受光部１３ｂの背面側端部１３ｂ１の真背面である位置Ａに配置された光源１４からの光ＬＬが臨界角以上で入射し、かつ、この反射面１３ｃで全反射した光ＬＬが導光板本体１３ａの中央に向かうような角度で、導光板本体１３ａに対して設けられている。
【０００５】
また、反射面１３ｄは、導光板本体１３ａの中央に向かう光ＬＬが臨界角以上で入射し、かつ、この反射面１３ｄで全反射した光ＬＬが正面側の指針１０に向かうような角度で、導光板本体１３ａに対して設けられている。
【０００６】
以上の構成によれば、光源１４からの光ＬＬは、まず、受光部１３ｂの背面側端部１３ｂ１から受光部１３ｂ内に入射する。そして、受光部１３ｂを導光して、導光板本体１３ａに達すると、反射面１３ｃで全反射して、導光板本体１３ａの中央に向かって導光板本体１３ａを導光する。その後、導光板１３ａの中央に設けられた反射面１３ｄで全反射して、正面側の指針１０に入射される。指針１０に入射された光ＬＬａは、指針１０を導光し、これにより指針１０が光輝する。
【０００７】
【発明が解決しようとする課題】
しかしながら、上述した従来の指針用導光板において、上述した反射面１３ｃや、受光部１３ｂは、光源の位置に合わせて各製品毎に設計しているため、光源のレイアウトが変わってしまうと使用できない構造となっている。
【０００８】
例えば、反射面１３ｃについては、一平面によって形成されているため、光源１４ｂのように背面側端面１３ｂ１の真背面から矢印Ｙ方向にズレた位置Ｂに配置されると、光源１４ｂからの光は反射面１３ｃに対して臨界角以上で入射することができない。また、たとえ、臨界角以上で入射しても、導光板本体１３ａの略中央に全反射させることができない。このため、光源１４ｂからの光を効率よく指針１０に導くことができず、使用できる輝度で指針１０を光輝させることができない。
【０００９】
また、受光部１３ｂや、背面側端面１３ｂ１の大きさも各製品毎に設計されているため、光源のレイアウトが変わってしまうと、受光部１３ｂに光を入射できなくなってしまう。これにより、汎用性がなく、コスト的にも問題となっていた。
【００１０】
そこで、本発明は、上記のような問題点に着目し、汎用性の向上及びコストダウンを図った指針用導光板を提供することを課題とする。
【００１１】
【課題を解決するための手段】
上記課題を解決するためになされた請求項１記載の発明は、指針の背面に設けられた導光板本体と、該導光板本体から背面側に向かう凸状の受光部と、該受光部の背面側端部から入射して、前記導光板本体に到達した光を、前記導光板本体の所定位置に向かって反射する第１反射面と、前記導光板本体の所定位置に設けられ、前記第１反射面で反射された光を正面側に反射する第２反射面とを備えた指針用導光板であって、前記第１反射面は、背面−正面方向の位置によって、前記導光板本体との成す角度が各々異なるように形成されていることを特徴とする指針用導光板に存する。
【００１２】
請求項１記載の発明によれば、第１反射面が、背面−正面方向の位置によって、導光板本体との成す角度が各々異なるように形成されている。以上の構成により、所定位置を中心とした半径方向に光源のレイアウト変更があっても、それぞれの角度に応じた位置の範囲内であれば、光源からの光を、第１反射面にて全反射させて、指針に導くことができる。
【００１３】
請求項２記載の発明は、指針の背面に設けられた導光板本体と、該導光板本体から背面側に向かう凸状の受光部と、該受光部の背面側端部から入射して、前記導光板本体に到達した光を、前記導光板本体の所定位置に向かって反射する第１反射面と、前記導光板本体の所定位置に設けられ、前記第１反射面で反射された光を正面側に反射する第２反射面とを備えた指針用導光板であって、前記受光部は、背面に向かうに従って、当該断面積が大きくなるように形成されていることを特徴とする指針用導光板に存する。
【００１４】
請求項２記載の発明によれば、受光部は、背面に向かうに従って、その断面積が大きくなるように形成されている。以上の構成によれば、受光部の背面側端面が大きくなり、光源のレイアウト変更があっても、背面側端面の範囲内であれば、光源からの光を受光部に入射することができる。しかも、背面側に向かうに従って、断面積を大きくすることにより、指針用導光板全体を大きくすることなく、背面側端面のみを大きくする。
【００１５】
請求項３記載の発明は、請求項２記載の指針用導光板であって、前記受光部の背面側端面は、正面側を中心とした断面略円弧状に形成されていることを特徴とする指針用導光板に存する。
【００１６】
請求項３記載の発明によれば、受光部の背面側端面が、正面側を中心とした断面略円弧状に形成されている。従って、断面略円弧形状とすることにより、背面側端面の背面であれば、どの位置に光源を配置しても、その光源からの光を略直角に背面側端面に入射することができ、光源からの光を効率よく受光部内に入射することができる。
【００１７】
請求項４記載の発明は、指針の背面に設けられた導光板本体と、該導光板本体から背面側に向かう凸状の受光部と、該受光部の背面側端部から入射して、前記導光板本体に到達した光を、前記導光板本体の所定位置に向かって反射する第１反射面と、前記導光板本体の所定位置に設けられ、前記第１反射面で反射された光を正面側に反射する第２反射面とを備えた指針用導光板であって、前記導光板本体には、前記所定位置を中心とした略円弧状の長孔が設けられていることを特徴とする指針用導光板に存する。
【００１８】
請求項４記載の発明によれば、導光板本体には、所定位置を中心とした略円弧状の長孔が設けられている。従って、取付ネジに長孔を貫通させて指針用導光板を取り付ければ、受光部を、所定位置を中心とした回転方向に可動に設置することができる。このため、受光部の可動範囲内であれば、どの位置に光源を配置しても、その光源からの光を受光部に入射することができる。しかも、長孔の側面が反射面となり、所定位置へより光を集光させることができる。
【００１９】
【発明の実施の形態】
以下、この発明の第１実施形態を、図面を参照して説明する。図１は、本発明の指針用導光板４を組み込んだ指示装置の一実施の形態を示す側面図である。図２は、図１に示す指針用導光板４を矢印Ｙ１側から見た図である。図３は、図１に示す指針用導光板４の部分側面図であり、図４は、図１に示す指針用導光板４の正面図である。
【００２０】
同図に示すように、指示装置は、計測値を指示する指針１と、計測値に応じて指針１を駆動するムーブメント２と、回路パターンが設けられ、ムーブメント２が配線される基板３とを備えている。
【００２１】
また、４は、基板３に設けた光源５からの光を指針１に導く指針用導光板である。この指針用導光板４は、指針１の背面に設けられた導光板本体４ａと、導光板本体４ａから背面側に向かう凸状の受光部４ｂとから構成されている。尚、受光部４ｂは、背面に向かうに従って、図１に示す矢印Ｙ２方向及び図２に示す矢印Ｙ３方向に断面積が大きくなるように設けられている。矢印Ｙ２方向は、導光板本体４ａの中央を中心とした半径方向であり、矢印Ｙ３方向は、導光板本体４ａの中央を中心とした円の接線方向である。また、受光部４ｂの背面側端面は、正面側を中心とした断面略円弧状に形成されている。
【００２２】
また、上述した指針用導光板４には、反射面４ｃ（＝第１反射面）及び反射面４ｄ（＝第２反射面）が設けられている。反射面４ｃは、図３の部分拡大図に示すように、正面−背面方向である矢印Ｙ４方向の位置によって、互いに導光板本体４ａとの成す角が異なる３つの平面４ｃ−１、４ｃ−２、４ｃ−３から形成されている。
【００２３】
平面４ｃ−１は、図１に示す位置Ｘに配置された光源５からの光ＬＬｘが臨界角以上で入射し、かつ、この平面４ｃ−１で全反射した光ＬＬｘが導光板本体４ａの中央（＝所定位置）に向かうような角度で、導光板本体４ａに対して設けられている。
【００２４】
また、平面４ｃ−２は、図１に示す位置Ｙに配置された光源５からの光ＬＬｙが臨界角以上で入射し、かつ、この平面４ｃ−２で全反射した光ＬＬｙが導光板本体４ａの略中心に向かうような角度で、導光板本体４ａに対して設けられている。
【００２５】
さらに、平面４ｃ−３は、図１に示す位置Ｚに配置された光源５からの光ＬＬｚが臨界角以上で入射し、かつ、この平面４ｃ−３で全反射した光ＬＬｚが導光板本体４ａの略中心に向かうような角度で、導光板本体４ａに対して設けられている。
【００２６】
また、図４に示すように、導光板本体４ａには、その中央を中心とした円弧状の長孔４ａ−１が設けられている。これにより、取付ネジＮを長孔４ａ−１に貫通して指針用導光板４を固定するれば、受光部４ｂを、導光板本体４ａの中央を中心とした回転方向である矢印Ｙ５方向において可動に固定することができる。
【００２７】
以上の構成によれば、位置Ｘに配置された光源５からの光ＬＬｘは、まず、受光部４ｂの背面側端面４ｂ１から受光部４ｂ内に入射する。そして、受光部４ｂを導光して、導光板本体４ａに達すると、反射面４ｃを構成する平面４ｃ−１で全反射して（図３参照）、導光板本体４ａの中央に向かって導光板本体４ａを導光する。その後、導光板本体４ａの中央に設けられた反射面４ｄで全反射して、正面側の指針１０に入射される。指針１０に入射された光ＬＬｘは、指針１０を導光し、これにより指針１０が光輝する。
【００２８】
また、レイアウト変更により、位置Ｘから矢印Ｙ２方向にずれた位置Ｙに光源５が配置されても、その光ＬＬｙは、反射面４ｃを構成する平面４ｃ−２で全反射して、導光板本体４ａの中央に向かって導光する。さらに、位置Ｚに光源５が配置されても、その光ＬＬｚは、反射面４ｃを構成する平面４ｃ−３で全反射して、導光板本体４ａの中央に向かって導光する。
【００２９】
このように、反射面４ｃを、矢印Ｙ４方向の位置によって、導光板本体４ｃとの成す角度が各々異なるように形成することにより、各角度に応じた位置Ｘ、Ｙ、Ｚ内のレイアウト変更であれば、光源５からの光を反射面４ｃにて全反射させて指針１０に導くことができる。これにより、汎用性の向上及びコストダウンを図ることができる。
【００３０】
また、上述した指示装置によれば、受光部４ｂは、背面に向かうに従って、矢印Ｙ２方向及び矢印Ｙ３方向の両方向に断面積が大きくなるように設けられている。これにより、受光部４ｂの背面側端面４ｂ１が大きくなり、矢印Ｙ２方向（図１）や、矢印Ｙ３方向（図２）に光源５のレイアウト変更があっても、背面側端面４ｂの範囲内の位置Ｘ、Ｙ、Ｚ、Ｖ、Ｗ、Ｑであれば、光源５からの光を受光部４ｂに入射することができる。しかも、背面側に向かうに従って、断面積を大きくすることにより、指針用導光板４全体を大きくすることなく、背面側端面４ｂ１のみを大きくする。
【００３１】
また、上述した指示装置によれば、受光部４ｂの背面側端面４ｂ１が、正面側を中心とした断面略円弧状に形成されている。これにより、背面側端面４ｂ１の範囲内であれば、どの位置に光源５を配置しても、その光源５からの光を略直角に背面側端面４ｂ１に入射することができ、光源５からの光を効率よく受光部４ｂ内に入射することができる。
【００３２】
さらに、上述した指示装置によれば、長孔４ａ−１により受光部４ｂを、矢印Ｙ５（図４参照）に可動に設置することができる。このため、受光部４ｂの可動範囲内であれば、どの位置に光源５を配置しても、その光源５からの光を受光部４ｂに入射することができる。しかも、長孔４ａ−１の側面が反射面となり、中央へより光を集光させることができる。
【００３３】
なお、上述した実施形態では、３つの平面４ｃ−１〜４ｃ−３により反射面４ｃを形成していたが、これに限らず２つでも、４つでもよい。
【００３４】
また、上述した実施形態では、反射面４ｃを平面４ｃ−１〜４ｃ−３で構成することにより、矢印Ｙ４方向の位置によって、導光体本体４ａとの成す角が断続的に異なるようにしていた。例えば、反射面４ｃを曲面で構成して、矢印Ｙ４方向の位置によって、導光体本体４ａとの成す角が連続的に異なるようにすることも考えられる。
【００３５】
【発明の効果】
以上説明したように、請求項１記載の発明によれば、所定位置を中心とした半径方向に光源のレイアウト変更があっても、それぞれの角度に応じた位置の範囲内であれば、光源からの光を、第１反射面にて全反射させて、指針に導くことができるので、汎用性の向上及びコストダウンを図った指針用導光板を得ることができる。
【００３６】
請求項２記載の発明によれば、受光部の背面側端面が大きくなり、光源のレイアウト変更があっても、背面側端面の範囲内であれば、光源からの光を受光部に入射することができる。しかも、背面側に向かうに従って、断面積を大きくすることにより、指針用導光板全体を大きくすることなく、背面側端面のみを大きくするので、汎用性の向上及びコストダウンを図った指針用導光板を得ることができる。
【００３７】
請求項３記載の発明によれば、断面略円弧形状とすることにより、背面側端面の範囲内であれば、どの位置に光源を配置しても、その光源からの光を略直角に背面側端面に入射することができ、光源からの光を効率よく受光部内に入射することができるので、指針の発光輝度向上を図った指針用導光板を得ることができる。
【００３８】
請求項４記載の発明によれば、取付ネジに長孔を貫通させて指針用導光板を取り付ければ、受光部を、所定位置を中心とした回転方向に可動に設置することができる。このため、受光部の可動範囲内であれば、どの位置に光源を配置しても、その光源からの光を受光部に入射することができるので、汎用性の向上及びコストダウンを図ることができる。しかも、長孔の側面が反射面となり、所定位置へより光を集光させることができるので、指針の発光輝度向上を図った指針用導光板を得ることができる。
【図面の簡単な説明】
【図１】本発明の指針用導光板４を用いた指示装置の一実施の形態を示す側面図である。
【図２】図１に示す指針用導光板４を矢印Ｙ１側から見た図である。
【図３】図１に示す指針用導光板４の部分側面図である。
【図４】図１に示す指針用導光板４の正面図である。
【図５】従来の指針用導光板を用いた指示装置の一例を示す部分側面図である。
【符号の説明】
４        指針用導光板
４ａ      導光板本体
４ａ−１  長孔
４ｂ      受光部
４ｂ１    背面側端部
４ｃ      反射面（第１反射面）
４ｄ      反射面（第２反射面）
１０      指針
Ｙ４        矢印（背面−正面方向）
【図１】
2004361319.tif 000003
【図２】
2004361319.tif 000004
【図３】
2004361319.tif 000005
【図４】
2004361319.tif 000006
【図５】
2004361319.tif 000007